(57)【要約】      （修正有）【課題】普及を容易にするために特殊な器具を使わない容易な方法で、シャツなどの上衣がズボンやスカート等の下衣からズレ上がる度に入れ直さなければならない煩わしさを防止できる構造を提供する。【解決手段】ズレ上がり防止構造は、上衣と下半身用下着をスナップボタンの雄雌、ボタンとボタン孔、マジックテープ（登録商標）の雄雌で連結させることで着脱容易にズレ上がりを防止することができる。また、上衣に設けたガーターとストッキングや靴下を連結させることで着脱容易にズレ上がりを防止することができる。また、上衣に設けたガーターにベルトを大腿部へ巻くことで着脱容易にズレ上がりを防止することができる。【選択図】図３
0003126720.tif 000002
【実用新案登録請求の範囲】
【請求項１】
カッターシャツ、ワイシャツ、タンクトップ、Ｔシャツ、ポロシャツ等の上衣（ＸＡ）において、腰部（ＸＡａ）から臀部（ＸＡｂ）に、スナップボタンの雄（１）または雌（２）、またはボタン（３）またはボタン孔（４）、またはマジックテープの雄（５）または雌（６）を少なくとも一つ設けるとともに、下半身用下着（ＹＡ）の腰部（ＹＡａ）から臀部（ＹＡｂ）に該相対するスナップボタンの雌（２）または雄（１）、またはボタン孔（４）またはボタン（３）、またはマジックテープの雌（６）または雄（５）を設けることを特徴とする上衣のズレ上がり防止セット。
【請求項２】
カッターシャツ、ワイシャツ、Ｔシャツ、ポロシャツ等の上衣（ＸＢ）において、裾部（ＸＢａ）に、留め具付きガーター（７）を両足用に少なくとも各一つ上衣に一体して設け、ストッキングや靴下に留めることを特徴とする上衣のズレ上がり防止構造。
【請求項３】
カッターシャツ、ワイシャツ、Ｔシャツ、ポロシャツ等の上衣（ＸＣ）において、裾部（ＸＣａ）に、留めベルト（９）を設けたガーター（８）を両足用に少なくとも各一つ上衣に一体して設け、大腿部へ巻くことを特徴とする上衣のズレ上がり防止構造。
【考案の詳細な説明】
【技術分野】
【０００１】
本考案はシャツなどの上衣と下半身用下着、または上衣一体型ガーターによるズレ上がりを防止する為の構造に関する。
【背景技術】
【０００２】
カッターシャツ、ワイシャツ、Ｔシャツ、ポロシャツ等の上衣は、ズボンやスカート等の下衣から時間の経過と共にズレ上がり、この問題を解消するために従来の技術として、「実開平０７−９９０２」、「実開平０４−１３６１８」、「実開平０３−１０３２２２」等によるシャツとズボンを繋ぐ専用止め具式構造や、「特開平１０−７２７０２」、「実開平４−７８２１４」、「実開昭５３ー０９９２１０」等によるベルト式構造、「実開昭６０−４５３３２」、「特開平０７−３３１５１７」によるシャツとズボンを繋ぐ引っ掛け式構造、「実開平０２−１２５９１０」によるシャツとズボンを繋ぐ係止め具付ベルト構造、「実登３０５７９８１」によるシャツとズボンを繋ぐ係止めボタン構造、「実開昭６２ー１９８２１９」によるシャツとズボンを繋ぐマジックテープ（登録商標）構造、「実登３０４９０５７」によるストッパー生地構造、「実登３０８１９６５」によるシャツやブラウス等の上衣の下方を把持する把持部材バンド構造、「実開昭５６−１７３６０１」による専用下着構造などがある。
【考案の開示】
【考案が解決しようとする課題】
【０００３】
本考案が解決しようとする課題は、普及を容易にするために特殊な器具を使わない容易な方法で、シャツなどの上衣がズボンやスカート等の下衣からズレ上がる度に入れ直さなければならない煩わしさを防止できる構造を提供することにある。
【課題を解決するための手段】
【０００４】
前記課題を解決するため、本考案のズレ上がり防止構造は、上衣と下半身用下着をスナップボタンの雄雌、ボタンとボタン孔、マジックテープ（登録商標）の雄雌で連結させることで着脱容易にズレ上がりを防止することができる。また、上衣に設けたガーターとストッキングや靴下を連結させることで着脱容易にズレ上がりを防止することができる。また、上衣に設けたガーターにベルトを設け、大腿部へ巻くことで着脱容易にズレ上がりを防止することができる。
【考案の効果】
【０００５】
本考案は、以上の構成よりなるものであり、外からはこの考案を使用していることが見えず、連結時はズレ上がり防止機能が発揮されるとともに、スナップボタン、ボタン、マジックテープ（登録商標）など、小さな連結部品を使用することで、上衣と下半身用下着の状態でも、一見しただけではこの考案を使用していることが分かりにくく、脱衣時にはボタンを外す、マジックテープ（登録商標）を剥がす、ガーターを外す、ベルトを外すという容易な動作で脱衣することができるものであり、極めて有益なる効果を奏するものである。
【考案を実施するための最良の形態】
【０００６】
以下、本考案を図面に示す実施例に基づいて具体的に説明する。
【０００７】
図１〜図１５を参照して本願考案の実施例を説明すると、図１には第１実施例の上衣透視図、図２には第１実施例の下半身用下着斜視図、図３〜図８には第１実施例の連結部分の詳細図、図９には第１実施例の上衣と下半身用下着のセットが示され、図１０には第２実施例の上衣正面図、図１１には第２実施例のセットが示され、図１２には第３実施例の上衣正面図が示されている。
【０００８】
図１に示されるように、連結具であるスナップボタンの雄（１）または雌（２）、またはボタン（３）またはボタン孔（４）、またはマジックテープ（登録商標）の雄（５）または雌（６）を、上衣の腰部（ＸＡａ）から臀部（ＸＡｂ）の内側へ設けることにより、上衣と下半身用下着を該相対する連結具で連結させてズボンへ入れた際は勿論、上衣をズボンの外へ出した際にも外から一見しただけでは目立たない。なお、連結具は上衣内側へ直接取り付ける方法以外に、図４、図６、図８に示されるように上衣内側に帯状の生地を設け連結具を複数設けることでサイズの個人差にも対応が可能となる。
【０００９】
図１、図３〜図１２では一例としてカッターシャツを用いたが、カッターシャツに限られるものではなく、ワイシャツ、タンクトップ、Ｔシャツ、ポロシャツ，上半身用下着などの上衣であっても良い。
【００１０】
図２に示されるように、上衣連結具に該相対する連結具であるスナップボタンの雄（１）または雌（２）、またはボタン（３）またはボタン孔（４）、またはマジックテープ（登録商標）の雄（５）または雌（６）を、下半身用下着（ＹＡ）の腰部（ＹＡａ）から臀部（ＹＡｂ）に設けるため、下半身用下着のみの状態では連結具が見える状態だが、図９に示されるように、上衣連結具と連結時には上衣に隠れて連結部は見えない状態となる。
【００１１】
図３に示されるように、該相対するスナップボタンの雄（１）または雌（２）を上衣と下半身用下着に設けることで、容易に上衣と下半身用下着を連結させることが可能となり、更に、用を足す際等にも容易に外すことが可能である。また、スナップボタンの雌（２）または雄（１）は少なくとも一つ以上設け、いずれか一方、もしくは双方を複数設けることでサイズの個人差にも対応が可能となる。
【００１２】
図４に示されるように、該相対するスナップボタンの雄（１）または雌（２）を上衣の連結帯（１２）と下半身用下着に設けることで、容易に上衣と下半身用下着を連結させることが可能となる。また、スナップボタンの雄（１）または雌（２）は少なくとも一つ以上設け、いずれか一方、もしくは双方を複数設けることでサイズの個人差にも対応が可能となる。
【００１３】
図５に示されるように、該相対するボタン（３）またはボタン孔（４）を上衣と下半身用下着に設けることで、容易に上衣と下半身用下着を連結させることが可能となる。また、ボタン（３）またはボタン孔（４）は少なくとも一つ以上設け、いずれか一方、もしくは双方を複数設けることでサイズの個人差にも対応が可能となる。
【００１４】
図６に示されるように、該相対するボタン（３）またはボタン孔（４）を上衣の連結帯（１３）と下半身用下着に設けることで、容易に上衣と下半身用下着を連結させることが可能となる。また、ボタン（３）またはボタン孔（４）は少なくとも一つ以上設け、いずれか一方、もしくは双方を複数設けることでサイズの個人差にも対応が可能となる。
【００１５】
図７に示されるように、該相対するマジックテープ（登録商標）の雄（５）または雌（６）を上衣と下半身用下着に設けることで、容易に上衣と下半身用下着を連結させることが可能となる。また、マジックテープ（登録商標）の雄（５）または雌（６）は少なくとも一つ以上設け、いずれか一方、もしくは双方の長さを長く設けることでサイズの個人差にも対応が可能となる。
【００１６】
図８に示されるように、該相対するマジックテープ（登録商標）の雄（５）または雌（６）を上衣の連結帯（１４）と下半身用下着に設けることで、容易に上衣と下半身用下着を連結させることが可能となる。また、マジックテープ（登録商標）の雄（５）または雌（６）は少なくとも一つ以上設け、いずれか一方、もしくは双方の長さを長く設けることでサイズの個人差にも対応が可能となる。
【００１７】
図９に示されるように、上衣と下半身用下着の連結時には上衣と下半身用下着の生地の伸縮程度のズレで留まり、上衣が下半身用下着の連結位置で保たれるため、上衣のズレ上がりを防止することができる。
【００１８】
図１０に示されるように、上衣（ＸＢ）において、裾部（ＸＢａ）に、留め具付きガーター（７）を両足用に少なくとも各一つ上衣に一体して設け、図１１に示されるように、ストッキングや靴下に留めることで上衣のズレ上がりを防止する構造となっている。尚、裾部（ＸＢａ）の素材は上衣（ＸＢ）と異なっても構わないものとする。留め具付きガーター（７）はアジャスターベルト（１０）によって長さの調整が可能となっており、ストッキングや靴下の伸縮性によって左右されるズレ上がりへの影響を最小限に抑えることができる。
【００１９】
図１２に示されるように、上衣（ＸＣ）において、裾部（ＸＣａ）に、留めベルト（９）を設けたガーター（８）を両足用に少なくとも各一つ上衣に一体して設け、大腿部へ巻いて留めることで上衣のズレ上がりを防止する構造となっている。尚、裾部（ＸＣａ）の素材は上衣（ＸＣ）と異なっても構わないものとする。留め具付きガーター（７）はアジャスターベルト（１０）によって長さの調整が可能となっている。留めベルト（９）の留め方は限定されるものでなく、第１実施例の連結部と同様の留め方や、ホック、ベルト類であっても良い。
【００２０】
尚、以上の実施例では下半身用下着としてブリーフ、ボクサーパンツ、トランクス、ガードル、ショーツ、パンティストッキングなど、同様に適用できることは言うまでもない。
【図面の簡単な説明】
【００２１】
【図１】第１実施例の上衣斜視図である。
【図２】第１実施例の下半身用下着斜視図である。
【図３】第１実施例の下半身用下着斜視図である。
【図４】第１実施例の下半身用下着斜視図である。
【図５】第１実施例の下半身用下着斜視図である。
【図６】第１実施例の下半身用下着斜視図である。
【図７】第１実施例の下半身用下着斜視図である。
【図８】第１実施例の連結部詳細図である。
【図９】第１実施例の上衣と下半身用下着のセットが示されている。
【図１０】第２実施例の上衣正面図である。
【図１１】第２実施例のセットが示されている。
【図１２】第３実施例の上衣正面図である。
【符号の説明】
【００２２】
ＸＡ…上衣
ＸＡａ…上衣の腰部
ＸＡｂ…上衣の臀部
ＸＢ…上衣
ＸＣ…上衣
ＸＢａ、ＸＣａ…上衣の裾部
ＹＡ…下半身用下着
ＹＡａ…下半身用下着の腰部
ＹＡｂ…下半身用下着の臀部
１…スナップボタンの雄
２…スナップボタンの雌
３…ボタン
４…ボタン孔
５…マジックテープ（登録商標）の雄
６…マジックテープ（登録商標）の雌
７…ガーター（留め具付き）
８…ガーター（留めベルト付き）
９…留めベルト
１０…アジャスターベルト
１１…ストッキング、タイツ、ソックスなどの脚用靴下類。
１２…下半身用下着に設けたスナップボタンの雄または雌に相対するスナップボタンの付いた連結帯
１３…下半身用下着に設けたボタンの雄または雌に相対するボタンまたはボタン孔の付いた連結帯
１４…下半身用下着に設けたマジックテープ（登録商標）の雄または雌に相対するマジックテープ（登録商標）の付いた連結帯
【図１】
0003126720.tif 000003
【図２】
0003126720.tif 000004
【図３】
0003126720.tif 000005
【図４】
0003126720.tif 000006
【図５】
0003126720.tif 000007
【図６】
0003126720.tif 000008
【図７】
0003126720.tif 000009
【図８】
0003126720.tif 000010
【図９】
0003126720.tif 000011
【図１０】
0003126720.tif 000012
【図１１】
0003126720.tif 000013
【図１２】
0003126720.tif 000014
【手続補正書】
【提出日】平成18年8月25日(2006.8.25)
【手続補正１】
【補正対象書類名】実用新案登録請求の範囲
【補正対象項目名】全文
【補正方法】変更
【補正の内容】
【実用新案登録請求の範囲】
【請求項１】
カッターシャツ、ワイシャツ、タンクトップ、Ｔシャツ、ポロシャツ等の上衣（ＸＡ）において、腰部（ＸＡａ）から臀部（ＸＡｂ）に、スナップボタンの雄（１）または雌（２）、またはボタン（３）またはボタン孔（４）、または面ファスナーの雄（５）または雌（６）を少なくとも一つ設けるとともに、下半身用下着（ＹＡ）の腰部（ＹＡａ）から臀部（ＹＡｂ）に該相対するスナップボタンの雌（２）または雄（１）、またはボタン孔（４）またはボタン（３）、または面ファスナーの雌（６）または雄（５）を設けることを特徴とする上衣のズレ上がり防止セット。
【手続補正２】
【補正対象書類名】明細書
【補正対象項目名】全文
【補正方法】変更
【補正の内容】
【考案の詳細な説明】
【技術分野】
【０００１】本考案はシャツなどの上衣と下半身用下着によるズレ上がりを防止する為の構造に関する。
【背景技術】
【０００２】カッターシャツ、ワイシャツ、Ｔシャツ、ポロシャツ等の上衣は、ズボンやスカート等の下衣から時間の経過と共にズレ上がり、この問題を解消するために従来の技術として、シャツとズボンを繋ぐ専用止め具式構造（例えば、特許文献１、特許文献２、特許文献３参照）や、ベルト式構造（例えば、特許文献４、特許文献５、特許文献６参照）、シャツとズボンを繋ぐ引っ掛け式構造（例えば、特許文献７、特許文献８参照）、シャツとズボンを繋ぐ係止め具付ベルト構造（例えば、特許文献９参照）、シャツとズボンを繋ぐ係止めボタン構造（例えば、特許文献１０参照）、シャツとズボンを繋ぐ面ファスナー構造（例えば、特許文献１１参照）、ストッパー生地構造（例えば、特許文献１２参照）、シャツやブラウス等の上衣の下方を把持する把持部材バンド構造（例えば、特許文献１３参照）、専用下着構造（例えば、特許文献１４参照）などがある。【特許文献１】実開平０７−９９０２号公報
【特許文献２】実開平０４−１３６１８号公報
【特許文献３】実開平０３−１０３２２２号公報
【特許文献４】特開平１０−７２７０２号公報
【特許文献５】実開平４−７８２１４号公報
【特許文献６】実開昭５３ー０９９２１０号公報
【特許文献７】実開昭６０−４５３３２号公報
【特許文献８】特開平０７−３３１５１７号公報
【特許文献９】特開平０２−１２５９１０号公報
【特許文献１０】特実登３０５７９８１号公報
【特許文献１１】実開昭６２ー１９８２１９号公報
【特許文献１２】実登３０４９０５７号公報
【特許文献１３】実登３０８１９６５号公報
【特許文献１４】実開昭５６−１７３６０１号公報
【考案の開示】
【考案が解決しようとする課題】
【０００３】本考案が解決しようとする課題は、普及を容易にするために特殊な器具を使わない容易な方法で、シャツなどの上衣がズボンやスカート等の下衣からズレ上がる度に入れ直さなければならない煩わしさを防止できる構造を提供することにある。
【課題を解決するための手段】
【０００４】前記課題を解決するため、本考案のズレ上がり防止構造は、上衣と下半身用下着をスナップボタンの雄雌、ボタンとボタン孔、面ファスナーの雄雌で連結させることで着脱容易にズレ上がりを防止することができる。
【考案の効果】
【０００５】本考案は、以上の構成よりなるものであり、外からはこの考案を使用していることが見えず、連結時はズレ上がり防止機能が発揮されるとともに、スナップボタン、ボタン、面ファスナーなど、小さな連結部品を使用することで、上衣と下半身用下着の状態でも、一見しただけではこの考案を使用していることが分かりにくく、脱衣時にはボタンを外す、面ファスナーを剥がすという容易な動作で脱衣することができるものであり、極めて有益なる効果を奏するものである。
【考案を実施するための最良の形態】
【０００６】以下、本考案を図面に示す実施例に基づいて具体的に説明する。【０００７】図１〜図１５を参照して本願考案の実施例を説明すると、図１には第１実施例の上衣透視図、図２には第１実施例の下半身用下着斜視図、図３〜図８には第１実施例の連結部分の詳細図、図９には第１実施例の上衣と下半身用下着のセットが示されている。【０００８】図１に示されるように、連結具であるスナップボタンの雄（１）または雌（２）、またはボタン（３）またはボタン孔（４）、または面ファスナーの雄（５）または雌（６）を、上衣の腰部（ＸＡａ）から臀部（ＸＡｂ）の内側へ設けることにより、上衣と下半身用下着を該相対する連結具で連結させてズボンへ入れた際は勿論、上衣をズボンの外へ出した際にも外から一見しただけでは目立たない。なお、連結具は上衣内側へ直接取り付ける方法以外に、図４、図６、図８に示されるように上衣内側に帯状の生地を設け連結具を複数設けることでサイズの個人差にも対応が可能となる。【０００９】図１、図３〜図１２では一例としてカッターシャツを用いたが、カッターシャツに限られるものではなく、ワイシャツ、タンクトップ、Ｔシャツ、ポロシャツ，上半身用下着などの上衣であっても良い。【００１０】図２に示されるように、上衣連結具に該相対する連結具であるスナップボタンの雄（１）または雌（２）、またはボタン（３）またはボタン孔（４）、または面ファスナーの雄（５）または雌（６）を、下半身用下着（ＹＡ）の腰部（ＹＡａ）から臀部（ＹＡｂ）に設けるため、下半身用下着のみの状態では連結具が見える状態だが、図９に示されるように、上衣連結具と連結時には上衣に隠れて連結部は見えない状態となる。【００１１】図３に示されるように、該相対するスナップボタンの雄（１）または雌（２）を上衣と下半身用下着に設けることで、容易に上衣と下半身用下着を連結させることが可能となり、更に、用を足す際等にも容易に外すことが可能である。また、スナップボタンの雌（２）または雄（１）は少なくとも一つ以上設け、いずれか一方、もしくは双方を複数設けることでサイズの個人差にも対応が可能となる。【００１２】図４に示されるように、該相対するスナップボタンの雄（１）または雌（２）を上衣の連結帯（１２）と下半身用下着に設けることで、容易に上衣と下半身用下着を連結させることが可能となる。また、スナップボタンの雄（１）または雌（２）は少なくとも一つ以上設け、いずれか一方、もしくは双方を複数設けることでサイズの個人差にも対応が可能となる。【００１３】図５に示されるように、該相対するボタン（３）またはボタン孔（４）を上衣と下半身用下着に設けることで、容易に上衣と下半身用下着を連結させることが可能となる。また、ボタン（３）またはボタン孔（４）は少なくとも一つ以上設け、いずれか一方、もしくは双方を複数設けることでサイズの個人差にも対応が可能となる。【００１４】図６に示されるように、該相対するボタン（３）またはボタン孔（４）を上衣の連結帯（１３）と下半身用下着に設けることで、容易に上衣と下半身用下着を連結させることが可能となる。また、ボタン（３）またはボタン孔（４）は少なくとも一つ以上設け、いずれか一方、もしくは双方を複数設けることでサイズの個人差にも対応が可能となる。【００１５】図７に示されるように、該相対する面ファスナーの雄（５）または雌（６）を上衣と下半身用下着に設けることで、容易に上衣と下半身用下着を連結させることが可能となる。また、面ファスナーの雄（５）または雌（６）は少なくとも一つ以上設け、いずれか一方、もしくは双方の長さを長く設けることでサイズの個人差にも対応が可能となる。【００１６】図８に示されるように、該相対する面ファスナーの雄（５）または雌（６）を上衣の連結帯（１４）と下半身用下着に設けることで、容易に上衣と下半身用下着を連結させることが可能となる。また、面ファスナーの雄（５）または雌（６）は少なくとも一つ以上設け、いずれか一方、もしくは双方の長さを長く設けることでサイズの個人差にも対応が可能となる。【００１７】図９に示されるように、上衣と下半身用下着の連結時には上衣と下半身用下着の生地による伸縮程度のズレで留まり、上衣が下半身用下着の連結位置で保たれるため、上衣のズレ上がりを防止することができる。【００１８】尚、以上の実施例では下半身用下着としてブリーフ、ボクサーパンツ、トランクス、ガードル、ショーツ、パンティストッキングなど、同様に適用できることは言うまでもない。
【図面の簡単な説明】
【００１９】
【図１】第１実施例の上衣斜視図である。
【図２】第１実施例の下半身用下着斜視図である。
【図３】第１実施例の連結部詳細図である。
【図４】第１実施例の連結部詳細図である。
【図５】第１実施例の連結部詳細図である。
【図６】第１実施例の連結部詳細図である。
【図７】第１実施例の連結部詳細図である。
【図８】第１実施例の連結部詳細図である。
【図９】第１実施例の上衣と下半身用下着のセットが示されている。
【符号の説明】
【００２０】ＸＡ…上衣ＸＡａ…上衣の腰部ＸＡｂ…上衣の臀部ＹＡ…下半身用下着ＹＡａ…下半身用下着の腰部ＹＡｂ…下半身用下着の臀部１…スナップボタンの雄２…スナップボタンの雌３…ボタン４…ボタン孔５…面ファスナーの雄６…面ファスナーの雌７…下半身用下着に設けたスナップボタンの雄または雌に相対するスナップボタンの付いた連結帯８…下半身用下着に設けたボタンの雄または雌に相対するボタンまたはボタン孔の付いた連結帯９…下半身用下着に設けた面ファスナーの雄または雌に相対する面ファスナーの付いた連結帯
【手続補正３】
【補正対象書類名】図面
【補正対象項目名】図４
【補正方法】変更
【補正の内容】
【図４】
0003126720.tif 000015
【手続補正４】
【補正対象書類名】図面
【補正対象項目名】図６
【補正方法】変更
【補正の内容】
【図６】
0003126720.tif 000016
【手続補正５】
【補正対象書類名】図面
【補正対象項目名】図８
【補正方法】変更
【補正の内容】
【図８】
0003126720.tif 000017
【手続補正６】
【補正対象書類名】図面
【補正対象項目名】図１０
【補正方法】削除
【補正の内容】
【手続補正７】
【補正対象書類名】図面
【補正対象項目名】図１１
【補正方法】削除
【補正の内容】
【手続補正８】
【補正対象書類名】図面
【補正対象項目名】図１２
【補正方法】削除
【補正の内容】